(57)【特許請求の範囲】
【請求項１】
基材層と熱可塑性樹脂層とからなる四角形状の２枚の包装用フイルムを前記熱可塑性樹脂層面を重ね合わせて、一辺側を所定領域だけ非熱接着部として残し、他の３辺にコ字状の周縁熱接着部を形成し、前記周縁熱接着部の両端部間を連結する外方に突出する突出熱接着部を形成し、少なくとも前記突出熱接着部を剥離可能として密封し、表面側の前記包装用フイルムの少なくとも一方の端縁の前記周縁熱接着部の端部に隣接した位置に切込が形成された構成からなることを特徴とする易開封包装袋。
【請求項２】
前記突出熱接着部の熱接着強度が、５００〜２０００ｇ／１５ｍｍ巾であることを特徴とする請求項１記載の易開封包装袋。
【請求項３】
前記突出熱接着部の熱接着強度が、前記周縁熱接着部の熱接着強度よりも低くされていることを特徴とする請求項１または２記載の易開封包装袋。
【請求項４】
前記包装用フイルムにおける前記突出熱接着部を形成する領域の前記熱可塑性樹脂層面に熱接着強度調整層が形成された構成からなることを特徴とする請求項１〜３のいずれかに記載の易開封包装袋。
【発明の詳細な説明】
【０００１】
【発明の属する技術分野】
本発明は、熱接着部を剥離して容易に開口させることができる易開封包装袋に関する。
【０００２】
【従来の技術】
従来、血糖値測定用電極等のように細長い偏平な製品を包装するための易開口性包装袋としては、図６に示すように、基材層と易剥離性の熱可塑性樹脂層とからなる長方形状の包装用フイルムを熱可塑性樹脂層面を対向させて２枚重ね合わせて、一方の短辺側を非熱接着部15として残して、他の３辺にコ字状の剥離可能な周縁熱接着部12を形成し、周縁熱接着12の両端部間を連結する外方に山状に突出する剥離可能な突出熱接着部13を形成して密封すると共に、周縁熱接着部12に互いに内方に突出する仕切縁熱接着部14を設けて一方側に血糖値測定用電極等の内容物７を他方には乾燥剤８等を収納できるようにした構成の包装袋が使用されている。上記の構成の包装袋に血糖値測定用電極を収納して使用する場合、非熱接着部15の包装用フイルムを指で掴んで両側に引っ張り、突出熱接着部13を先端部から剥離して開封線16まで剥離させてから、剥離した包装用フイルムをそれぞれ外側に折り曲げて血糖値測定用電極の端部を包装袋から露出させ露出した部分に血液を含浸させて電極として使用するのであるが、非熱接着部15の面積が広くなく掴みにくい上に突出熱接着部13の全体を先端部から剥離するのに強い力が必要になるため、開封するのに力を加えすぎると包装袋全体が剥離してしまい血糖値測定用電極が包装袋から落ちてしまう結果となり、血糖値測定用電極の使用する機会が多い老人等には開封し難いという欠点があった。
【０００３】
【発明が解決しようとする課題】
本発明の目的は、熱接着部を剥離すると同時に表面側の包装用フイルムを引き裂くことにより容易に内容物の端部を露出させることのできる易開封包装袋を提供することである。
【０００４】
【課題を解決するための手段】
基材層と熱可塑性樹脂層とからなる四角形状の２枚の包装用フイルムを前記熱可塑性樹脂層面を重ね合わせて、一辺側を所定領域だけ非熱接着部として残し、他の３辺にコ字状の周縁熱接着部を形成し、前記周縁熱接着部の両端部間を連結する外方に突出する突出熱接着部を形成し、少なくとも前記突出熱接着部を剥離可能に密封し、表面側の前記包装用フイルムの少なくとも一方の端縁の前記周縁熱接着部の端部に隣接した位置に切込を形成した構成の易開封包装袋である。この場合、非熱接着部における包装用フイルムの角部を掴んで両側に引っ張ることにより、突出熱接着部の先端部にて剥離すると同時に切込の部分から表面側の包装用フイルムが引き裂かれ、更に引き剥がすことにより突出熱接着部が剥離すると共に包装用フイルムが引き裂かれて、表面側の包装用フイルムの切込より非熱接着部側が除去されて内容物の端部が露出するので使用が容易となる。
【０００５】
上記易開封包装袋において、前記突出熱接着部の熱接着強度を５００〜２０００ｇ／１５ｍｍ巾とすることにより、非熱接着部における包装用フイルムの角部を掴んで両側に引っ張った場合に、突出熱接着部が剥離し易くなる。
【０００６】
上記易開封包装袋において、前記突出熱接着部の熱接着強度を前記周縁熱接着部の熱接着強度よりも低くしておくことにより、剥離するのに力を加え過ぎた場合においても、周縁熱接着部のところで剥離できなくなるので２枚の包装用フイルムが分離してしまって内容物が落ちてしまうことがなくなる。
【０００７】
上記易開封包装袋において、前記突出熱接着部を形成する領域における前記包装用フイルムの前記熱接着性樹脂層面に熱接着性強度調整層を塗布することにより、突出熱接着部の熱接着強度を低くすることが可能となる。
【０００８】
【発明の実施の形態】
以下、図面を引用して本発明の実施の形態を説明する。
図１は本発明の第１実施形態の易開封包装袋を示す平面図、図２は第１実施形態の易開封包装袋を開口する途中の状態を示す図、図３は第１実施形態の易開封包装袋を開口した状態の平面図、図４は第２実施形態を示す平面図、図５は第３実施形態を示す平面図であって、1a, 1bは包装用フイルム、２は周縁熱接着部、3, 3', 3" は突出熱接着部、４は仕切熱接着部、５は非熱接着部、６は切込、７は内容物、８は乾燥剤をそれぞれ表す。
【０００９】
本発明の易開封包装袋の第１実施形態は、図１に示すように、基材層と熱可塑性樹脂層とからなる２枚の長方形状の包装用フイルム1aおよび包装用フイルム1bの熱可塑性樹脂層面を合わせて重ね、一方の短辺側の所定領域を非熱接着部５として残し、他方の短辺を含む３辺の端縁に沿ってコ字状に周縁熱接着部２が形成され、周縁熱接着部２には相対向する位置に仕切熱接着部４が形成され、周縁熱接着部２の両端部間を連結する外方に突出する突出熱接着部３が形成され、表面側の包装用フイルム1aの端縁における周縁熱接着部２の両端部に隣接する非熱接着部５内にそれぞれ切込６が設けられた構成である。熱可塑性樹脂層として易剥離性の樹脂層を使用することにより、突出熱接着部３および周縁熱接着部２を剥離可能に熱接するか、ないしは、熱可塑性樹脂層面の突出熱接着部３が形成される領域に熱接着強度調整層を形成することにより突出熱接着部３のみを剥離可能に熱接着するものである。
【００１０】
第１実施形態においては、表面側の包装用フイルム1aの両側の端縁にそれぞれ切込６が設けられているが、一方の端縁のみに切込６を設けて、切込６が設けられている側の非熱接着部５の角部から剥離して開封するようにしてもよい。表面側の包装用フイルム1aの端縁に切込６を設けておくことにより、表面側の包装用フイルム1aの切込６より非熱接着部５側のみを切り取ることができるので、内容物７が裏面側の包装用フイルム1b上に載置された状態で端部を露出させることができるものであり、切込６の部分にて誤って包装用フイルム1aと包装用フイルム1bの両方を切り取ってしまい内容物７が損傷されるおそれがない。また、切込６はＶ字状に切り欠いた形状となっているが、形状は任意であり直線状の切込としてもよい。仕切熱接着部４は内容物７と同封する乾燥剤８等との収納部を仕切るためのものであり、収納する内容物によっては仕切熱接着部４を形成する必要はない。
【００１１】
第１実施形態の易開封包装袋を開封する方法は、図２に示すとおり、非熱接着部５における包装用フイルム1aおよび包装用フイルム1bの下方の角部を指で掴んで両側に引っ張ることにより、突出熱接着部３の先端部が剥離してくると共に、切込６が形成されている表面側の包装用フイルム1aのみが切込６の箇所から破断してくる。更に引き剥がし続けると、突出熱接着部３の先端の角部から下方に剥離が進行し、それと同時に切込６の箇所から上方に向かって包装用フイルム1aが破断してゆき、突出熱接着部３が殆ど剥離し終わった状態で包装用フイルム1aが完全に引き裂かれて切り取られ、図３に示す状態となる。表面側の包装用フイルム1aの切込６より非熱接着部５側が切り取られた図３に示す状態で、裏面側の包装用フイルム1b上に内容物７が載置された状態で内容物７の一部が露出する。切込６を表面側の包装用フイルム1aのみに形成しておくことにより、易開封包装袋を開口することにより図３に示す状態とすることができる。図２においては、非熱接着部５における包装用フイルム1aおよび包装用フイルム1bの下方の角部を指で掴んで引き剥がす方法について説明したが、上方の角部から引き剥がしても同様に容易に開口させることができるものである。内容物７として血糖値測定用電極が収納されている場合には、図３に示す状態で、血糖値測定用電極の露出した部分に血液をしみ込ませて血糖値を測定することができる。
【００１２】
本発明の易開封包装袋の第２実施形態は、図４に示すとおりであって、突出熱接着部3'の形状を曲線を組み合わせた突状としたものである。突出熱接着部3'をこの形状とすることにより、非熱接着部５における包装用フイルム1aおよび包装用フイルム1bの上方ないしは下方の角部を指で掴んで引き剥がすことにより、熱接着面積の狭い突出熱接着部3'の角部から引き剥がされると同時に切込６の箇所から包装用フイルム1aが引き裂かれることになるので、突出熱接着部3'の角部を剥離させると同時に切込６から包装用フイルム1aが引き裂くのに要する力が少なくてすみ引き剥がしやすくなる。
【００１３】
本発明の易開封包装袋の第３実施形態は、図５に示すとおりであって、突出熱接着部3"の形状が、切込６が形成されている側のみを斜めとした凸状をなしており、切欠６が一方の側にのみ形成されている形状である。包装用フイルム1aおよび包装用フイルム1bの下方の角部を指で掴んで引き剥がすことにより、表面側の包装用フイルム1aの切込６より非熱接着部５側が切り取られた状態となり、内容物７の端部を露出させることができる。第３実施形態の場合には、非熱接着部５における下方の角部からしか引き剥がすことができないのであるが、易開封包装袋の上下方向の寸法を小さくできるので、必要とする包装用フイルムの面積を小さくすることができるのでコストダウンが可能となる。
【００１４】
本発明の易開封包装袋に使用する包装用フイルム１は基材層と熱可塑性樹脂層との積層体からなり、熱可塑性樹脂層として易剥離性樹脂を使用するかなしいは熱可塑性樹脂層面の突出熱接着部3, 3',3"に対応する領域に部分的に熱接着強度調整層を形成して使用する。基材層としては、２軸延伸ポリエチレンテレフタレート、２軸延伸ポリプロピレン、２軸延伸ナイロン等の耐熱性の優れたフイルム、金属・金属酸化物層が蒸着された２軸延伸ポリエチレンテレフタレート、アルミニウム箔、ポリ塩化ビニリデン系樹脂をコーテイングした２軸延伸プラスチックフイルム等のガスバリヤ性フイルムとの積層体が使用される。易剥離性樹脂としては、ＳＭＸ−Ｙ０３、ＳＭＸ−Ｙ０４（和田化学工業）等が好適に使用できる。ＳＭＸ−Ｙ０３、ＳＭＸ−Ｙ０４は熱接着面がポリエチレンとポリプロピレンとポリスチレンからなる特殊ポリマーアロイからなる多層フイルムである。突出熱接着部3, 3',3"に対応する熱可塑性樹脂層面に熱接着強度調整層を塗布して易剥離性とする場合の熱可塑性樹脂層としては、低密度ポリエチレン、線状低密度ポリエチレン、中密度ポリエチレン、ポリプロピレン、エチレン−プロピレン共重合体、ポリプロピレンとポリエチレンのブレンド等が使用できる。熱接着強度調整層として使用できる樹脂としては、エチレン−酢酸ビニル共重合体、エチレン−アクリル酸共重合体、エチレン−メタクリル酸共重合体等であり、水性エマルジョンの状態で上記の樹脂からなる熱可塑性樹脂層面に塗布される。
【００１５】
包装用フイルム1a,1b の構成としては、熱可塑性樹脂層として易剥離性樹脂を使用する場合には、例えば、ポリエチレンテレフタレート／印刷層／接着剤層／アルミニウム蒸着２軸延伸ポリエチレンテレフタレート／接着剤層／易剥離性樹脂（ＳＭＸ−Ｙ０４）からなる構成であり、熱接着強度調整層を使用して易剥離性とする場合は、例えば、ポリエチレンテレフタレート／接着剤層／印刷層／アルミニウム蒸着２軸延伸ポリエチレンテレフタレート／線状低密度ポリエチレン／熱接着強度調整層（エチレン−酢酸ビニル共重合体）の構成となる。熱接着強度調整層となるエチレン−酢酸ビニル共重合体は水性のエマルジョンの状態で線状低密度ポリエチレン面に塗布される。
【００１６】
熱可塑性樹脂層等として易剥離性樹脂を使用する場合は、ポリエチレンテレフタレート面に印刷層を形成した後に、順次他の層を積層する通常の方法により製造できる。熱可塑性樹脂層面に熱接着強度調整層を塗布する構成の場合には、アルミニウム蒸着２軸延伸ポリエチレンテレフタレートの一方の面に熱可塑性樹脂層、例えば、線状低密度ポリエチレンを積層し、その積層体のアルミニウム蒸着２軸延伸ポリエチレンテレフタレートの他方の面に印刷層を設けると同時に線状低密度ポリエチレン面の印刷層に対応した所定領域、即ち、突出熱接着部3, 3',3"となる領域に水性のエマルジョンからなるエチレン−酢酸ビニル共重合体を塗布して熱接着強度調整層を形成する。印刷層および熱接着強度調整層の形成は印刷機によりインラインで行う。最後に、印刷層面に２軸延伸ポリエチレンテレフタレート層を積層することにより製造できる。
【００１７】
表面側となる包装用フイルム1aに切込６を形成するには、所定巾にスリットされた包装用フイルム1aの印刷層に対応した所定位置に切込６を形成するか、ないしは自動充填包装機にて内容物を包装する工程にて、表面側となる包装用フイルム1aの印刷層に対応した所定位置に切込６を形成する方法により行う。
【００１８】
【発明の効果】
基材層と熱可塑性樹脂層とからなる四角形状の２枚の包装用フイルムを熱可塑性樹脂層面同士を重ね合わせて、一辺側を所定領域だけ非熱接着部として残し、他の３辺にコ字状の周縁熱接着部を形成し、周縁熱接着部の両端部間を連結する外方に突出する突出熱接着部を形成し、少なくとも突出熱接着部を剥離可能として密封し、少なくとも表面側の包装用フイルムの少なくとも一方の端縁の周縁熱接着部の端部に隣接した位置に切込が形成された構成の易開封包装袋である。この場合、非熱接着部における包装用フイルムの角部を掴んで両側に引っ張ることにより、突出熱接着部の先端部にて剥離すると同時に切込の部分から表面側の包装用フイルムが引き裂かれ、更に引き剥がすことにより突出熱接着部が剥離すると共に包装用フイルムが引き裂かれて、表面側の包装用フイルムが非熱接着部側が除去されて内容物が露出するので容易に取り出すことができる。
【００１９】
上記易開封包装袋において、突出熱接着部の熱接着強度を５００〜２０００ｇ／１５ｍｍ巾にしておくことにより、非熱接着部における包装用フイルムの角部を掴んで両側に引っ張った場合に、突出熱接着部が剥離し易くなる。
【００２０】
上記易開封包装袋において、突出熱接着部の熱接着強度を周縁熱接着部の熱接着強度よりも低くしておくことにより、剥離するのに力を加え過ぎた場合においても、２枚の包装用フイルムが分離してしまって、内容物が落ちてしまうようなことはない。
【００２１】
上記易開封包装袋において、突出熱接着部を形成する領域における包装用フイルムの熱接着性樹脂層面に熱接着性強度調整層を塗布することにより、突出熱接着部を剥離可能とすることができる。
【図面の簡単な説明】
【図１】  本発明の第１実施形態の易開封包装袋を示す平面図。
【図２】  第１実施形態の易開封包装袋を開口する途中の状態を示す図。
【図３】  第１実施形態の易開封包装袋を開口した状態の平面図。
【図４】  第２実施形態を示す平面図。
【図５】  第３実施形態を示す平面図。
【図６】  従来の易開封包装袋を示す平面図。
【符号の説明】
1a, 1b  包装用フイルム
２  周縁熱接着部
3, 3', 3”  突出熱接着部
４  仕切熱接着部
５  非熱接着部
６  切込
７  内容物
８  乾燥剤
【図１】
0004138070.tif 000002
【図２】
0004138070.tif 000003
【図３】
0004138070.tif 000004
【図４】
0004138070.tif 000005
【図５】
0004138070.tif 000006
【図６】
0004138070.tif 000007